(57)【特許請求の範囲】
【請求項１】
ねじ孔（１２ａ）を有して端子台本体（１１ａ，１１ｂ・・）に固定される第１の端子板（１２）と、この第１の端子板（１２）の上方に上下動自在に配置された第２の端子板（１３）と、この第２の端子板（１３）に設けられた遊合孔（１３ａ）に挿通され前記第１の端子板（１２）の前記ねじ孔（１２ａ）にねじ込まれる固定ねじ（１６）と、この固定ねじ（１６）の頂部と前記第２の端子板（１３）との間に介装され前記第２の端子板（１３）を前記第１の端子板（１２）に押し付けるばね部材（１４）とを備え、前記第１の端子板（１２）と前記第２の端子板（１３）との間に被接続用配線の端子（２１，２２）が挿入される端子台であって、
前記第１の端子板（１２）は、導電金属材によって形成され、前記ねじ孔（１２ａ）を挟んで対称的な位置に前記端子（２１，２２）をそれぞれ係止するための凸状係止部（１２ｂ，１２ｃ）あるいは係止孔が設けられ、かつこれらの凸状係止部（１２ｂ，１２ｃ）あるいは係止孔が設けられた位置のほぼ延長線上の両端にはこの第１の端子板（１２）を前記端子台本体（１１ａ，１１ｂ・・）に固定するための固定部（１２ｄ，１２ｅ）が設けられており、
前記第２の端子板（１３）は、導電金属材によって形成され、かつ前記遊合孔（１３ａ）を挟んで対称的な両端近傍に、前記凸状係止部（１２ｂ，１２ｃ）あるいは係止孔に対しねじ孔（１２ａ）から離れる側に位置して第１の端子板（１２）を下方に押下する押さえ部（１３ｄ，１３ｅ）が設けられており、
前記第１の端子板（１２）と前記第２の端子板（１３）との間に前記端子（２１，２２）が挿入されると、前記端子（２１，２２）に設けられている係止穴部（２１ａ，２２ａ）または凸状係止部が前記第１の端子板（１２）の凸状係止部（１２ｂ，１２ｃ）あるいは係止孔に係合することを特徴とする端子台。
【請求項２】
前記第１の端子板（１２）は、Ｖ字形状に形成され、Ｖ字の底には、前記ねじ孔（１２ａ）が位置づけられており、前記第２の端子板（１３）もこの第１の端子板（１２）の形状に合わせて形成されていることを特徴とする請求項１記載の端子台。
【請求項３】
前記端子台本体（１１ａ，１１ｂ・・）は、固定ねじ（１６）の頂部とばね部材（１４）との間に配置されたストッパ部材（１５）と係合するストッパ片（１１ｂ３）を備えていることを特徴とする請求項１または２記載の端子台。
【請求項４】
請求項１〜３のうちのいずれか１つに記載の、端子台本体（１１ａ，１１ｂ・・）に固定される第１の端子板（１２）と、この第１の端子板（１２）の上方に上下動自在に配置された第２の端子板（１３）と、この第２の端子板（１３）に設けられた遊合孔（１３ａ）に挿通され前記第１の端子板（１２）の前記ねじ孔（１２ａ）にねじ込まれる固定ねじ（１６）と、この固定ねじ（１６）の頂部と前記第２の端子板（１３）との間に介装され前記第２の端子板（１３）を前記第１の端子板（１２）に押し付けるばね部材（１４）とで複数の配線接続ユニット（１０Ａ，１０Ｂ・・）を構成し、これらの配線接続ユニット（１０Ａ，１０Ｂ・・）を整列配置して連結部材（１７）により結合したことを特徴とする端子台。
【発明の詳細な説明】
【０００１】
【発明の属する技術分野】
本発明は、通信機および電子機器等に広く使用される端子台に関し、特に、被接続用配線に取り付けられた端子を固定する端子台の構造に関する。
【０００２】
【従来の技術】
この種の端子台は、複数の被接続用配線を一個所にまとめて対応する配線を接続するために用いられるもので、従来から種々の構造のものが提案されている。たとえば、被接続用配線の一端に取り付けられたフォーク状端子を端子台を構成する端子板にねじ込まれた固定ねじに挟み込み、固定ねじを締め付けることにより、被配線接続用配線を端子台に固定する構造のもの、あるいは、たとえば、実開平４−１０２５６８号公報に示されるように、被接続用配線の一端に丸形端子を取り付け、固定ねじを端子板からはずした状態で端子板のねじ穴位置に丸形端子を配置した後固定ねじをねじ穴にねじ込んで丸形端子を端子台に固定する構造のもの等がある。後者の端子台においては、作業性を考慮して丸形端子を取り付けるために固定ねじを端子板から外したときに、固定ねじが取り付け位置から落下するのを防止する機能（脱落防止機能）を備えている。すなわち、この例の端子台においては、ねじ脱落防止機構を付設した配線接続部は、電気絶縁材料である合成樹脂材からなる端子台本体と、この端子台本体上に設けられた導電材からなる端子板と、この端子板に形成されたねじ孔上部に昇降自在に設けられたねじ脱落防止用金具と、このねじ脱落防止用金具の頂部にワッシャを介して回動自在に保持された固定ねじと、ねじ脱落防止用金具を上方に付勢するように配置された圧縮コイルばね等のばね部材等を備えた構造であった。この例では、ねじ脱落防止用金具は、上端部が端子台本体に昇降自在に保持されるとともに、下端部が端子板の下方に形成された空所内に臨んでいる。
【０００３】
そして、このねじ脱落防止用金具は、空所内に配設された上述したばね部材によって、常時は上方に付勢され、かつ固定ねじが落下しない状態で上昇位置に保持されている。この状態で、ねじ部と端子板との間に、被接続用配線の接続端に取り付けられた丸形圧着端子のような丸型端子を差し込み、ついで、固定ねじのねじ孔への螺合に伴なう締付けによって、端子板と固定ねじの頭部との間に端子を挟み込んで固定することにより被接続用配線を端子台に電気的に接続する。
【０００４】
また、逆に、固定ねじの螺合を解除すると、ねじ脱落防止用金具がばね部材による上方への付勢によって上方に移動し、このねじ脱落防止用金具の上方への移動によって固定ねじの頭部が端子板から離れるように上昇し、その結果、丸形端子を端子台から引き抜いて外すこともできるような構造となっている。
【０００５】
【発明が解決しようとする課題】
しかし、上述した従来の構造のうち、前者は、被接続用配線の端子がフォーク状端子によって構成されているため、このフォーク状端子を固定ねじで固定しても電子機器等の長年の使用によって固定ねじが緩んであるいはフォーク状端子が締め付け状態から次第に外れる方向に移動して最後には端子台から外れることがある。後者は、丸形端子を用いているため、端子台への固定後は、前者のように長年の使用によって端子台から外れることはないが、丸形端子を端子台に取り付けるときには、固定ねじを端子板から完全に外して取り付ける必要があり、前者に比べると、作業性はやや低下するという問題があった。
【０００６】
本発明は上述した従来の問題を解決するためになされたものであり、従来のように固定ねじを端子板から外すことなく被接続用配線の端子を取り付けあるいは取り外しできるようにし、これによって作業性を向上させ、しかも従来よりも部品点数を少なくして低コスト化を図った端子台を提供することを目的とする。
【０００７】
【課題を解決するための手段】
このような要請に応えるために本発明による端子台は、ねじ孔を有して端子台本体に固定される第１の端子板と、この第１の端子板の上方に上下動自在に配置された第２の端子板と、この第２の端子板に設けられた遊合孔に挿通され前記第１の端子板の前記ねじ孔にねじ込まれる固定ねじと、この固定ねじの頂部と前記第２の端子板との間に介装され前記第２の端子板を前記第１の端子板に押し付けるばね部材とを備え、前記第１の端子板と前記第２の端子板との間に被接続用配線の端子が挿入される端子台であって、前記第１の端子板は、導電金属材によって形成され、前記ねじ孔を挟んで対称的な位置に前記端子をそれぞれ係止するための凸状係止部あるいは係止孔が設けられ、かつこれらの凸状係止部あるいは係止孔が設けられた位置のほぼ延長線上の両端にはこの第１の端子板を前記端子台本体に固定するための固定部が設けられており、前記第２の端子板は、導電金属材によって形成され、かつ前記遊合孔を挟んで対称的な両端近傍に、前記凸状係止部あるいは係止孔に対しねじ孔から離れる側に位置して第１の端子板を下方に押下する押さえ部が設けられており、前記第１の端子板と前記第２の端子板との間に前記端子が挿入されると、前記端子に設けられている係止穴部または凸状係止部が前記第１の端子板の凸状係止部あるいは係止孔に係合することを特徴とする。
【０００８】
上述した本発明による端子台を用いれば、固定ねじを第１の端子板のねじ孔に係合させた状態で、ばね部材により第１の端子板に押圧されている第２の端子板と第１の端子板のとの間に、被接続用配線に接続された端子を挿入するように構成されているため、従来のように、被接続用配線の端子を端子台に接続するときに、固定ねじをねじ孔にねじ込む行程が不要となり、この点で作業性を改善できる。また、被接続用配線の端子を端子台に接続したときには、被接続用配線の端子に設けられた係止穴部あるいは凸状係止部が第１の端子板に形成された凸状係止部あるいは係止穴部と係合した状態で固定ねじが締め付けられているため、長年の使用によっても被接続用配線の端子が端子台から外れることもない。
【０００９】
これとは逆に、被接続用配線の端子を端子台から取り外すときには、固定ねじを第１の端子板のねじ孔への螺合が解除されるように逆方向に回転することにより、第１の端子板と第２の端子板との間の端子挟持力を弱め、被接続用配線の端子の後端を第１の端子板に対し持ち上げることによって、被接続用配線を簡単に取り外すことができる。
【００１０】
【発明の実施の形態】
図１（ａ）および（ｂ）は、本発明による端子台の一実施の形態を示し、（ａ）被接続用配線の端子を取り付けない状態の一ユニットを示し、（ｂ）は複数の配線接続ユニットを併設し、かつ結合部材によって結合した状態を示す。また、図２は、図１（ａ）に示される端子台の一配線接続ユニットに被接続用配線の端子を接続した状態を示す。図３は、図１および図２に示される端子台を展開した状態を示す。
【００１１】
これらの図において、符号１０は端子台の全体構造を示しており、複数の配線接続ユニット１０Ａ，１０Ｂ，・・・によって構成されている。各配線接続ユニットは、端子台の端部を除いて同じ構造であるため、配線接続ユニット１０Ａを代表させて説明する。
【００１２】
まず、配線接続ユニット１０Ａは、合成樹脂のような電気絶縁材料からなる端子台本体１１ｂと、これに組み込まれる第１および第２の金属製端子板１２，１３と、コイルスプリングからなるばね部材１４と、ストッパ部材１５の遊合孔１５ａと、ストッパ部材１５，ばね部材１４および第２の端子板１３に開けられた遊合孔１３ａを介して第１の端子板１２に設けられたねじ孔１２ａにねじ込まれる固定ねじ１６とによって構成されている。この端子台本体１１ｂは、隣接する配線接続ユニットとの仕切壁を構成するとともに、第１の端子板１２を固定してこの上に配置される上述した各部品を位置決め固定する機能を有する。この配線接続ユニット１１ｂは端子台１０の端に位置するため、特別の端子台本体１０ａと対向するように配置されている。なお、１７は整列配置された端子台本体１１ａ，１１ｂ，１１ｃ・・・を貫通してナット部材１８と協働して一つの端子台１０に組み立てるねじ部材である。
【００１３】
第１の端子板１２は、導電金属材により構成され、上述したねじ孔１２ａが中央部に形成され、このねじ孔１２ａの部分にはねじ溝が形成されている。このねじ孔１２ａを挟んでかつこのねじ孔１２ａから所定距離離れた位置に凸状の係止部１２ｂ，１２ｃが形成されている。この実施の形態では、これらの係止部１２ｂ，１２ｃは、図１（ａ），図２および図３から明らかなように板材を切り起こすことにより形成され、このため、ねじ孔１２ａに近い側は板材から切り離されて急峻な側面を持ち、ねじ孔１２ａから離れた側はなめらかな湾曲面を持っている。また、ねじ孔１２ａの係止部１２ｂ，１２ｃの配列方向の延長端部に下方に折り曲げられて端子台本体１１ｂの取り付け溝１１ｂ１，１１ｂ２にはめ込まれる固定部１２ｄ，１２ｅが設けられている。さらに、ねじ孔１２ａに対し係止部１２ｂ，１２ｃの配列と直交する方向の端部は、下方に折り曲げられて端子板の曲げ強度を補強している。
【００１４】
第２の端子板１３は、導電金属材により構成され、その中央には、固定ねじ１６が挿通自在に遊合する遊合孔１３ａが形成され、この遊合孔１３ａを挟んで対称的に第１の端子板１２の方向に折り曲げられその後反対方向に立ち上がるくぼみ１３ｂおよび１３ｃが形成されている。この状態は、図１（ａ）および図２に良く示されている。このようなくぼみ１３ｂおよび１３ｃは、固定ねじ１６が締め付けられたときに、第１と第２の端子板１２および１３の間に配置される被接続用配線の端子を弾力を持って挟持させるために設けられている。換言すれば、第２の端子板１３は、上述したくぼみ１３ｂ、１３ｃを形成することによって中央に形成された遊合孔１３ａを挟んで対称的な両端近傍に、第１の端子板１２の凸状係止部１２ｂ，１２ｃに対しねじ孔１２ａから離れる側に位置して第１の端子板１２を下方に押下する押さえ部１３ｄ，１３ｅが形成されることになる。
【００１５】
ばね部材１４は、固定ねじ１６が緩められたときに第２の端子板１３を下方、すなわち第１の端子板１２方向に付勢する機能を持っている。また、ストッパ部材１５は、固定ねじ１６が緩められて上方向に移動するときに端子台本体１１ｂおよび１１ａに形成されたストッパ片１１ｂ３および１１ａ１と係合してさらに固定ねじ１６が上方へ移動するのを規制する機能を有する。この場合、固定ねじ１６の基部はねじ溝が設けられておらず、ねじ山よりも小径に形成されているため、ストッパ部材１５の遊合孔１５ａはこの部分に位置されて回動自在にされている。また、ストッパ部材１５の遊合孔の径を固定ねじ１６のねじ山よりも大きくしても同様の動作を行わせることができる。
【００１６】
また、端子台本体１１ｂおよび１１ａには、右方向に突出する一対の位置決め用突起１１ｂ５および１１ａ２が設けられており、これらの突起は、対向する端子台本体１１ｃおよび１１ｂの位置決め穴１１ｃ５および１１ｂ５にはめ込まれるように構成されている。また、端子台本体１１ｂのストッパ片１１ｂ３と反対側の面にもつぎのユニットのストッパ部材の上方への移動を規制するストッパ片１１ｂ６が設けられている。
【００１７】
このように構成すれば、被接続用配線に接続された端子２１，２２は、固定ねじ１６を緩められてストッパ部材１５が端子台本体１１ｂのストッパ片１１ｂ３に係止された状態で、図１（ａ）の左右方向から第１の端子板１２と第２の端子板１３の間に水平に挿入する。この場合、第２の端子板１３の端部は前述したくぼみ１３ｂ，１３ｃの形成によって上方に丸味を持った形状となり、端子２１，２２の端部の端子板間への受け入れを容易にしている。そして、端子板２１と２２との間に挿入された端子２１，２２の先端は、丸味を持った係止部１２ｂ、１２ｃの背中に沿って移動し、端子２１および２２に設けられた穴２１ａおよび２２ａの先端が係止部１２ｂおよび１２ｃの急峻な端部に達すると下方に落としこまれ、この状態で落ち着く。この状態で固定ねじ１６を締め付け、第１と第２の端子板間をばね部材１４と協働して強固に締め付け、これにより、端子２１，２２を固定する。図２はこの状態を示している。
【００１８】
このような状態では、被接続用配線の端子２１および２２は、長年の使用によっても係止部１２ｂおよび１２ｃによって上述した固定状態から抜け出すことができなくなり、被接続用配線の各端子を安定的した状態で端子台１０に固定することができる。
【００１９】
また、被接続用配線の端子２１，２２を端子台１０から外す場合には、固定ねじ１６を締め付けと逆方向に回転させてストッパ部材１５とともに上方に移動させる。そしてストッパ部材１５が端子台本体１１ｂおよび１１ａの係止片１１ｂ３および１１ａ１によって係止される程度まで固定ねじ１６を持ち上げる。この状態では、通常固定ねじ１６の先端は第１の端子板１２のねじ孔１２ａと係合した状態にあり、第２の端子板１３はばね部材１４のばね力によって弱く下方に押されている。この挟持力の弱い状態で、作業者は、被接続用配線の端子の端部を上方に持ち上げ、その状態で外方に引き出すことにより簡単に端子２１，２２を取り外すことができる。
【００２０】
以上述べたように、この実施の形態の構成にすることによって、従来のように固定ねじを端子板から外すことなく被接続用配線の端子を取り付けあるいは取り外しできるようにし、これによって作業性を向上させることができる。しかも、この実施の形態の構成にすることによって従来よりも部品点数を少なくして低コスト化を図った端子台を提供することができる。
【００２１】
図４は、本発明の他の実施の形態を示しており、上述した実施の形態との相違点は、第１の端子板１２と第２の端子板１３の構造が若干変更されていることである。すなわち、前述した図１ないし図３に示される実施の形態では、第１の端子板１２に設けられた係止部１２ｂおよび１２ｃを切り越しによって形成したけれども、この実施の形態の第１の端子板１２Ａに形成された係止部１２ｂ１および１２ｂ２は、絞り加工によって肉厚の突起部として形成されている。また、第２の端子板１３は、遊合孔１３ａの開けられた中央部から端部に向かうにしたがって下方に傾斜されて上下方向の弾力を持たせており、この傾斜によって、中央に形成された遊合孔１３ａを挟んで対称的な両端近傍に、凸状係止部２１ａ，２２ａに対しねじ孔１２ａから離れる側に位置して第１の端子板１２を下方に押下する押さえ部１３ｄ，１３ｅが形成されている。また、この第２端子板１３Ａの両端部は上方に折り曲げられて、被接続用配線が接続された端子が端子板１２Ａと１３Ａとの間に容易に挿入できる構造となっている。その他の構造は、図１ないし図３に示されるものと同じである。このような構造にしても、上述した実施の形態と同じ効果を得ることができることは容易に理解されるであろう。
【００２２】
図５および図６は、本発明のさらに他の実施の形態を示しており、第１および第２の端子板がＶ字状に形成され、端子台が狭い場所に配置された場合にも被接続用配線の端子を前述した図１ないし図３に示される実施の形態よりもさらに容易に取り付けできるようにしたものである。図５および図６において示される第１の端子板１２Ｂは、係止部１２ｂ１および１２ｂ２の形成された部分がＶ字状に形成され、このため、ねじ孔１２ａはＶ字の底に位置することになる。その他の部分は、これまでの実施の形態と同様の構成である。
【００２３】
また、第２の端子板１３Ｂにおいては、図１ないし図３の実施の形態に示した第２端子板１３のくぼみ１３ｂおよび１３ｃに対応したくぼみ１３ｂ１および１３ｂ２は、第１の端子板１２ＢのＶ字形状に合わせてねじ孔１３ａから離れたくぼみの外壁がＶ字状となるように形成されている。この場合、第２端子板１３Ｂの両端は、図１ないし図３に示される端子板１３と同様に、上方に折り曲げられている。なお、折り曲げ強度を持たせるために、ねじ孔１２ａに近い折り曲げ部の両側端は、図６によく示されるように、さらに内方に向かって折り曲げ加工されている。
【００２４】
また、図５および図６からわかるように、第２の端子板１３Ｂに形成されるくぼみ１３ｂ１および１３ｂ２は、遊合孔１３ａに隣接する部分が一番深く、この遊合孔１３ａから端部に向かうにしたがって浅くなるような形状をしている。また、固定ねじ１６は、前述した図１ないし図４の実施の形態のものよりも長く、その先端は、第１の端子板１２Ｂのねじ孔１２ａに対向する端子台本体１１ｂのくぼみ１１ｆの底部分に開けられたねじ孔１１ｄにねじ込まれている。この固定ねじ１６の長さは、固定ねじ１６の頂部とばね部材１４との間に配置されたストッパ部材１５が端子台本体１１ｂに形成されたストッパ片１１ｂ３’に係止しても、なおその先端がねじ孔１１ｄに係合している程度の長さに定められている。
【００２５】
図５および図６に示されるような構造にすることにより、被接続用配線の端子２１，２２を挿入する端子板１２Ｂと１３Ｂの端部が斜め上方に向かって配置されることになり、端子台が狭い場所に収容あるいは配置された場合にも端子を容易に装着することができる。また、このような構造では、前述した実施の形態において、第１の端子板の両端に設けた固定部によって端子台本体に第１の端子板を固定するようにしたけれども、固定ねじ１６に装着された端子板１２，１３、ばね部材１４、ストッパ部材１５を、端子台本体１１ｂのねじ孔１１ｄに先端が常時ねじ込まれた状態にある固定ねじ１６によって支持しており、しかも、端子板１２ＢのＶ字形状がこの上に配置される第２の端子板１３Ｂ，ばね部材１４および固定ねじ１４のガイドとなって常に第１の端子板１２Ｂのねじ孔１２ａに向かうように位置づけられており、さらにこれらの部材は、対向側面を端子台本体によって囲われているため、組立時の固定ねじの装着を容易にできる。
【００２６】
上述した各実施の形態においては、第１の端子板に突起状の係止部を設けかつ被接続用配線の端子にこの係止部と係合する孔を設けたけれども、この組み合わせを逆にして第１の端子板に係止孔を設け、端子にこの係止孔と係合する突起を設けるようにしてもよいことはもちろんである。
【００２７】
【発明の効果】
以上説明したように、本発明による端子台を用いれば、固定ねじを第１の端子板のねじ孔に係合させた状態で、ばね部材により第１の端子板に押圧されている第２の端子板と第１の端子板との間に、被接続用配線に接続された端子を挿入するように構成されているため、従来のように、被接続用配線の端子を端子台に接続するときに、固定ねじをねじ孔に不安定な状態でねじ込む工程が不要となり、この点で作業性を改善できる。また、被接続用配線の端子を端子台に接続したときには、被接続用配線の端子に設けられた係止穴部あるいは凸状係止部が第１の端子板に形成された凸状係止部あるいは係止孔と係合した状態で固定ねじが締め付けられているため、長年の使用によっても被接続用配線の端子が端子台から外れることもない。
【００２８】
これとは逆に、被接続用配線の端子を端子台から取り外すときには、固定ねじを第１の端子板のねじ孔への螺合が解除されるように逆方向に回転することにより、第１の端子板と第２の端子板との間の端子挟持力を弱め、被接続用配線の端子の後端を第１の端子板に対し持ち上げることによって、被接続用配線を簡単に取り外すことができる。
【図面の簡単な説明】
【図１】 本発明による端子台の一実施の形態を示し、（ａ）は要部となる配線接続ユニットの断面図、（ｂ）は（ａ）に示される配線接続ユニットを整列配置した組立状態を示す側面図である。
【図２】 図１に示される端子台に被接続用配線の端子を接続した状態を示す断面図である。
【図３】 図１および図２に示される本発明の実施の形態を展開した状態を示す図である。
【図４】 本発明の他の実施の形態を示す断面図である。
【図５】 本発明のさらに他の実施の形態を示す断面図である。
【図６】 図５の実施の形態を展開した状態を示す図である。
【符号の説明】
１０…端子台、１０Ａ，１０Ｂ，１０Ｃ…配線接続ユニット、１１ａ，１１ｂ…端子台本体、１１ａ１，１１ｂ３，１１ｂ３’，１１ｂ６…ストッパ片、１１ａ２，１１ｂ５…位置決め用突起、１１ｂ５，１１ｃ５…位置決め穴、１２，１２Ａ，１２Ｂ…第１の端子板、１１ｄ，１２ａ…ねじ孔、１２ｂ，１２ｂ１，１２ｂ２，１２ｃ…係止部、１２ｄ，１２ｅ…固定部、１３，１３Ｂ…第２の端子板、１３ａ…遊合孔、１３ｂ，１３ｂ１，１３ｂ２，１３ｃ…くぼみ、１３ｄ，１３ｅ…押さえ部、１４…ばね部材、１５ストッパ部材、１６…固定ねじ、１７…ねじ部材、１８…ナット部材、２１，２２…端子。
【図１】
0003822274.tif 000002
【図２】
0003822274.tif 000003
【図４】
0003822274.tif 000004
【図３】
0003822274.tif 000005
【図５】
0003822274.tif 000006
【図６】
0003822274.tif 000007